(57)【要約】      （修正有）【課題】パチスロ機の表示窓へのガラス板の取り付け構造およびその取り付け方法であって、ガラス板が貫通孔端部から破損することを防止するためのパチスロ機スロット部の表示窓へのガラス板の取り付け構造およびその取り付け方法を提供する。【解決手段】ガラス板Ｇの貫通孔に、パチスロ機前面の台座に固設したネジ部材５を挿通させ、ネジ部材５に羅合させたナット６で締め付けて、ガラス板Ｇと台座４を接合するパチスロ機の表示窓へのガラス板の取り付け構造であって、内径がガラス板Ｇの貫通孔の直径より１．０ｍｍ以上大きい平座金を貫通孔に対して同心に配置し、ガラス板Ｇとナット６およびガラス板Ｇと台座４の間に挟んでなる。【選択図】図２
2010207432.tif 000002
【特許請求の範囲】
【請求項１】
ガラス板の貫通孔に、パチスロ機前面の台座に固設したネジ部材を挿通させ、ネジ部材に羅合させた締め付け部材で締め付けて、ガラス板と台座を接合するパチスロ機の表示窓へのガラス板の取り付け構造であって、
内径がガラス板の貫通孔の直径より１．０ｍｍ以上大きい平座金をガラス板の貫通孔に対して同心に配置し、ガラス板と締め付け部材およびガラス板と台座の間に挟んでなることを特徴とするパチスロ機の表示窓へのガラス板の取り付け構造。
【請求項２】
前記平座金がアルミニウム製またはアルミニウム合金製であることを特徴とする請求項１に記載のパチスロ機の表示窓へのガラス板の取り付け構造。
【請求項３】
ガラス板が強化ガラスであることを特徴とする請求項１または請求項２に記載のパチスロ機の表示窓へのガラス板の取り付け構造。
【請求項４】
ガラス板の貫通孔に、パチスロ機前面の台座に固設したネジ部材を挿通させ、ネジ部材に羅合させた締め付け部材で締め付けて、ガラス板と台座を接合するパチスロ機の表示窓へのガラス板の取り付け方法であって、
内径がガラス板の貫通孔の直径より１．０ｍｍ以上大きい平座金をガラス板の貫通孔に対して同心に配置し、ガラス板と締め付け部材およびガラス板と台座の間に挟んでなることを特徴とするパチスロ機の表示窓へのガラス板の取り付け方法。
【請求項５】
前記平座金がアルミニウム製またはアルミニウム合金製であることを特徴とする請求項４に記載のパチスロ機の表示窓へのガラス板の取り付け方法。
【請求項６】
ガラス板が強化ガラスであることを特徴とする請求項４または請求項５に記載のパチスロ機の表示窓へのガラス板の取り付け方法。
【発明の詳細な説明】
【技術分野】
【０００１】
本発明は、パチスロ機の表示窓へのガラス板の取り付け構造およびその取り付け方法に関する。
【背景技術】
【０００２】
パチンコ店には、パチンコ機およびパチスロ機がある。
【０００３】
パチスロ機とは、パチンコ店等に設置される遊技機としてのスロットマシンである。正式名称は「回胴式遊技機」という。
【０００４】
通常、パチンコ機においては、高速で遊戯球（パチンコ玉）が打ち出され、連続的に打刻されるため硬く耐摩耗性に優れ、且つ遊戯球の動きを見るために透明性が必要であり、その前面にはガラス板が用いられる。これに対して、パチスロ機において、液晶およびスロット部等の２箇所以上の表示窓があるものが主流であり、表示窓も周辺部と一体成型する方が簡単なことより、通常、ポリカーボネート、アクリル等の透明性樹脂が用いられる。
【０００５】
パチスロ機の液晶部またはスロット部の表示窓にガラス板を用いることは、特許文献１、特許文献２等に示されるが、実際に使われるのは透明性樹脂が主流である。
【０００６】
また、通常、パチスロ機は液晶パネルが装備され、特許文献３には、液晶部にゴミや塵が付着しないように、帯電防止シートを用いることが開示されている。
【特許文献１】特開２００２-２３３６０７号公報
【特許文献２】特開２００１-２２４７４１号公報
【特許文献３】特開２００５−１３７６６号公報
【発明の開示】
【発明が解決しようとする課題】
【０００７】
液晶およびスロット部等のスロットマシンの表示窓に透明性樹脂を使用すると、帯電した透明性樹脂にスロット部からでる微細なゴミが付着しやすく、掃除が大変である。また、パチンコ機同様、スロットマシンもリサイクル可能なことが求められており、リサイクルを容易にするためには、スロットマシンの表示窓に透明性樹脂を取り付けるに際し、接着剤および両面接着テープ等による接着することは好ましくないという問題があった。
【０００８】
ガラス板の貫通孔に、パチスロ機前面の台座に固設したネジ部材を挿通させ、ネジ部材に羅合させた締め付け部材で締め付けて、ガラス板と台座を接合するパチスロ機の表示窓へのガラス板の取り付け構造とすれば、いわゆるネジ止めとすれば、ガラス板の交換および液晶部またはスロット部の掃除が容易にできるが、ナット等でガラス板を締め付け過ぎると、ガラス板が貫通孔の端部から破損しやすいという問題があった。
【０００９】
本発明は、ガラス板の貫通孔に、パチスロ機前面の台座に固設したネジ部材を挿通させ、ネジ部材に羅合させた締め付け部材で締め付けて、ガラス板と台座を接合するパチスロ機スロット部の表示窓へのガラス板の取り付け構造およびその取り付け方法であって、ガラス板が貫通穴端部から破損することを防止するためのパチスロ機の表示窓へのガラス板の取り付け構造およびその取り付け方法を提供することを目的とする。
【課題を解決するための手段】
【００１０】
本発明のパチスロ機の表示窓へのガラス板の取り付け構造およびその取り付け方法は、ガラス板の貫通孔に、パチスロ機前面の台座に固設したネジ部材を挿通させて、貫通孔の端部を避けて、ネジ部材に羅合させたナット等の締め付け部材の締め付け力をガラス板に加え、表示窓のガラス板が貫通穴端部から破損することを防止する。
【００１１】
本発明のパチスロ機の表示窓へのガラス板の取り付け構造およびその取り付け方法は、ナット等の締め付け部材の締め付け力を、ガラス板と締め付け部材の間に挟んだ平座金を介して伝達する際、平座金の内径をガラス板の貫通孔の直径より大きくし同心になるように配置することで、割れが発生しやすいガラス板の貫通孔の端部およびその周囲を避けて力を伝えることが可能となった。また、平座金を圧接したガラス板には圧縮力が生じるため、端部より亀裂が走ったとしても、亀裂の伝播を防止する効果がある。
【００１２】
締め付け部材で締め付けた際に割れを生じさせないためには、板ガラスに形成した貫通孔の直径より、平座金の内径を１．０ｍｍ以上、好ましくは４．０ｍｍ以上大きくする。言い換えれば、板ガラスの貫通孔の端部から平座金までの間隔を０．５ｍｍ以上、好ましくは２．０ｍｍ以上とする。平座金の内径が板ガラスの貫通孔の直径に対し１．０ｍｍ未満、板ガラスの貫通孔の端部から平座金までの間隔が０．５ｍｍ未満では、板ガラスの貫通孔の端部および周囲に割れが生じる恐れがある。表示部の大きさを考えれば、貫通孔の直径より、平座金の内径を１０．０ｍｍより大きくする必要はなく、１０．０ｍｍ以下とする。言い換えれば、板ガラスの貫通孔の端部から平座金までの間隔を５．０ｍｍ以下とする。
【００１３】
即ち、本発明は、ガラス板の貫通孔に、パチスロ機前面の台座に固設したネジ部材を挿通させ、ネジ部材に羅合させた締め付け部材で締め付けて、ガラス板と台座を接合するパチスロ機スロット部の表示窓へのガラス板の取り付け構造であって、内径がガラス板の貫通孔の直径より１．０ｍｍ以上大きい平座金をガラス板の貫通孔に対して同心に配置し、ガラス板と締め付け部材およびガラス板と台座の間に挟んでなることを特徴とするパチスロ機の表示窓へのガラス板の取り付け構造である。
【００１４】
この際、ガラス板が強化ガラスであれば、締め付け部材でより強く締め付けることが可能であるが、平座金に硬い鋼（はがね）、ステンレス鋼等を用いた場合、特に平座金の仕上げ精度が悪く変形がある場合は、製造後、何ら強化処理がされていない生板ガラスであるとナット等で締め付けると、生板ガラスと平座金の界面で局所的な力が加わり破損し易い。ところが、ガラスとヤング率が近いアルミニウム製またはアルミニウム合金製の平座金を用いれば、平座金が適度に変形する。言い換えれば、適度に馴染んで緩衝作用が生じ、生板ガラスと平座金の界面で局所的な力が加わり破損することが抑制される。平座金をガラス板に圧接させた際、局所的な力が生じ難く、平座金が適度に変形して緩衝作用が生じ破損が抑制されることは、ガラス板が強化ガラスであっても当てはまる。
【００１５】
また、本発明は、前記平座金がアルミニウム製またはアルミニウム合金製であることを特徴とする上記のパチスロ機の表示窓へのガラス板の取り付け構造である。
【００１６】
前記ガラス板が強化ガラスであれば、さらに破損する懸念が小さくなる。
【００１７】
また、本発明は、ガラス板が強化ガラスであることを特徴とする上記のパチスロ機の表示窓へのガラス板の取り付け構造である。
【００１８】
また、本発明は、ガラス板の貫通孔に、パチスロ機前面台座に固設したネジ部材を挿通させ、ネジ部材に羅合させた締め付け部材で締め付けて、ガラス板と台座を接合するパチスロ機スロット部の表示窓へのガラス板の取り付け方法であって、内径がガラス板の貫通孔の直径より１．０ｍｍ以上大きい平座金をガラス板の貫通孔に対して同心に配置し、ガラス板と締め付け部材およびガラス板と台座の間に挟んでなることを特徴とするパチスロ機の表示窓へのガラス板の取り付け方法である。
【００１９】
さらに、本発明は、前記平座金がアルミニウム製またはアルミニウム合金製であることを特徴とする上記のパチスロ機の表示窓へのガラス板の取り付け方法である。
【００２０】
さらに、本発明は、ガラス板が強化ガラスであることを特徴とする上記のパチスロ機の表示窓へのガラス板の取り付け方法である。
【発明の効果】
【００２１】
本発明のパチスロ機の表示窓へのガラス板の取り付け構造およびその取り付け方法において、パチスロ機前面の台座に固設したネジ部材を、貫通穴を擁するガラス板に挿通させ、ネジ部材に、締め付け部材、例えば、ナットを羅合させて、ガラス板とナット間およびガラス板と台座間に各々平座金を挟持し、その締め付けによる力で、ガラス板に平座金を直接圧接させる。その際、平座金の内径をガラス板の貫通孔の直径より１．０ｍｍ以上、好ましくは４．０ｍｍ以上大きくし同心になるように配置することで、割れが発生しやすいガラス板の貫通孔の端部およびその周囲を避けて力を伝えられた。
【００２２】
さらに、平座金に、ヤング率がソーダライムシリケートガラスに近いアルミニウム製またはアルミニウム合金製の平座金を用いたことで、平座金が適度に変形する、言い換えれば、適度に馴染んで緩衝作用を奏し、ガラスと平座金の界面で局所的な力が加わり破損することが抑制された。
【００２３】
表示窓へ帯電し難いガラス板を用いたことで、ポリカーボネート、アクリル等の透明性樹脂を用いた場合に比較して、ゴミや塵が付着し難くなった。
【００２４】
また、取り付け構造を解体するときは、ナットを弛めればよく、液晶部またはスロット部のメンテナンスが容易となる。
【発明を実施するための最良の形態】
【００２５】
本発明のパチスロ機スロット部の表示窓へのガラス板の取り付け構造およびその取り付け方法について、図を用いて説明する。
【００２６】
図１が、パチスロ機の概略図である
本発明は、図１に示すようなパチスロ機の液晶部表示窓１またはスロット部表示窓２等の表示窓へのガラス板Ｇの取り付け構造および取り付け方法である。
【００２７】
図２が、本発明のパチスロ機の表示窓へのガラス板の取り付け構造における取り付け部の一例の拡大側面図である。ナット以外は接合部における断面で示している。
【００２８】
図２に示すように、平座金３と貫通孔を設けたガラス板Ｇとに、パチスロ機前面の台座４に固設しネジ部材５を挿通させる際に、平座金３をガラス板Ｇとナット６の間およびガラス板Ｇと台座４の間に各々挟み、ネジ部材５にナット６を羅合させて、締め付け部材であるナット６を締め付けることによって生じる力で接合一体化させる。尚、ワッシャ７はナット６を締め付け易いように用いた。またガラス板Ｇとネジ部材５の隙間８に、図示しない樹脂性パイプなどの緩衝材を挟んでおくことは、ガラス板Ｇの端面保護の効果があり好ましい。また、図２に示すように、見栄えがいいように、ナット６には、袋ナットを用いることが好ましい。
【００２９】
このようにして、図１に示すように、ガラス板Ｇは、パチスロ機の液晶部表示窓１またはスロット部表示窓２等の表示窓の台座４にナット６で取り付けられる。
【００３０】
図２に示すように、本発明のパチスロ機の表示窓へのガラス板の取り付け構造は、締め付け部材である例えばナット６に締め付けによる力を、ガラス板Ｇとナット６の間およびガラス板Ｇと台座４の間に各々挟んだ平座金３を介して伝え、接合するものである。  
【００３１】
即ち、本発明のパチスロ機前面の表示窓へのガラス板Ｇの取り付け構造は、ガラス板Ｇの貫通孔に、パチスロ機前面の台座４に固設したネジ部材５を挿通させ、ネジ部材５に羅合させた締め付け部材、例えばナット６で締め付けて、ガラス板Ｇと台座４を接合するパチスロ機スロット部の表示窓へのガラス板Ｇの取り付け構造であって、内径がガラス板Ｇの貫通孔の直径より１．０ｍｍ以上大きい平座金３をガラス板Ｇの貫通孔に対して同心に配置し、当該平座金３をガラス板Ｇとナット６およびガラス板Ｇと台座４の間に挟んでなる。
【００３２】
また、本発明のパチスロ機スロット部の表示窓へのガラス板Ｇの取り付け方法は、ガラス板Ｇの貫通孔に、パチスロ機前面の台座４に固設したネジ部材５を挿通させ、ネジ部材５に羅合させた締め付け部材、例えばナット６で締め付けて、ガラス板Ｇと台座４を接合するパチスロ機の表示窓へのガラス板Ｇの取り付け方法であって、内径がガラス板Ｇの貫通孔の直径より１．０ｍｍ以上大きい平座金３をガラス板Ｇの貫通孔に対して同心に配置し、当該平座金３をガラス板Ｇとナット６およびガラス板Ｇと台座４の間に挟んでなる。
【００３３】
図３は、平座金を当接させた板ガラス貫通孔部の上面図である。
【００３４】
図３に示すように、本発明のパチスロ機の表示窓へのガラス板の取り付け構造およびその取り付け方法において、平座金３とガラス板Ｇの貫通孔の端部９が重なることを避けるために、内径がガラス板Ｇの貫通孔の直径より、１．０ｍｍ以上大きい平座金３を用い、同心となるように配置する。この際、取り付け作業が簡単、および平座金３がずれないよう、同心となる位置に、平座金３を予め接着しておくことが好ましい。接着には接着剤または両面接着テープ等を用いることが好ましい。
【００３５】
本発明のパチスロ機の表示窓へのガラス板の取り付け構造およびその取り付け方法において、平座金３とガラス板Ｇの貫通孔の端部９が重ならず、ナット６を締め付けた際に割れを生じさせないためには、板ガラスＧの貫通孔の直径より、平座金３の内径を１．０ｍｍ以上大きくする。好ましくは４．０ｍｍ以上大きくする。言い換えれば、板ガラスＧの貫通孔の端部９から平座金３までの間隔を０．５ｍｍ以上とする。好ましくは２．０ｍｍ以上とする。また、表示部の大きさを考えれば、貫通孔の直径より、平座金の内径を１０．０ｍｍより大きくする必要はなく、１０．０ｍｍ以下とする。
【００３６】
平座金３はアルミニウムまたはアルミニウム合金製を用いることが好ましい。
【００３７】
ソーダライムシリケートガラスとヤング率が近い平座金３を用いれば、ガラス板Ｇに圧接させた際、局所的な力が生じない。このように、ガラス板Ｇと平座金３のヤング率が近い値であれば、平座金３が適度に変形する、言い換えれば、適度に馴染んで緩衝作用を奏し、ガラス板Ｇと平座金３の界面で局所的な力が加わり破損することを抑制できる。このことは、ガラス板Ｇが強化ガラスであっても当てはまる。
【００３８】
表１に、板ガラスとアルミニウムの物性表を示す。（セントラル硝子総合カタログ／板ガラス・関連商品  １９１ページ、理科年表平成１９年机上版  物３３（３７９）による。）
【００３９】
【表１】
2010207432.tif 000003
【００４０】
表1に示すように、建築用途等の汎用用途に用いられるソーダライムシリケートガラスのヤング率は７．１６×１０４ＭＰａである。よって、ヤング率が６．７０×１０４ＭＰａ以上、７．３０×１０４ＭＰａ以下の材料からなる平座金３を用いることが好ましい。好ましくは、６．８０×１０４ＭＰａ以上、７．２０×１０４ＭＰａ以下である。
【００４１】
平座金３のヤング率が６．７０×１０４ＭＰａより小さければ、板ガラスＧの締め付けに、適度な締め付けトルクが得られない。好ましくは６．８０×１０４ＭＰａ以上である。平座金３のヤング率が７．３０×１０４ＭＰａより大きければ、ガラス板Ｇと平座金３の界面で局所的な力が加わり、ガラス板Ｇが強化処理されていない生板ガラスであれば、破損の可能性が生じる。好ましくは７．２０×１０４ＭＰａ以下である。
【００４２】
該当する金属材料には、ヤング率が６．８６×１０４ＭＰａであるアルミニウム、またはアルミニウムを主成分とするアルミニウム合金が挙げられ、本発明のガラス板の接合構造および接合方法に使用するに好ましい平座金３の材料である。アルミニウム合金の中で、合金番号、５０５２、５４５４，７０７５等のアルミニウム合金が入手し易く、本発明の板ガラスの接合構造及びその接合方法に用いる平座金３の好ましい材料である。
【００４３】
アルミニウムのヤング率は６．８６×１０４ＭＰａであり、本発明のパチスロ機の表示窓へのガラス板の取り付け構造およびその取り付け方法に使用する平座金３の材料として好ましい材料である。尚、ステンレス鋼のヤング率は１９．５×１０４ＭＰａであり、軟鋼のヤング率は２０．６×１０４ＭＰａであり、前述の緩衝作用は得られ難い。銅のヤング率は１０．３０×１０４ＭＰａと比較的ガラスに近い材料であるが、アルミニウムの方がよりガラスとヤング率が近く、本発明に使用する平座金３の材料として特に好ましい。
【００４４】
また、表１に示すように、ガラスとアルミニウムはヤング率以外に、ポアソン比、比重も近い値をとる。尚、ヤング率（縦弾性係数）は、弾性範囲で応力に対する歪の値をきめる定数であり、フックの法則  [歪ε]= [応力σ] ／ [ヤング率E]  より、 E=σ/εで表される。ポアソン比は、弾性限界内における引張りを加えた時に荷重方向の伸びと荷重に直角方向の寸法の縮み比である。
【００４５】
また、本発明において、アルミニウム製またはアルミニウム合金製の平座金３と鋼またはステンレス製のワッシャ等を重ねて使っても構わない。その際、ガラス板Ｇに圧接する側には、アルミニウム製またはアルミニウム合金製の平座金３を用いることが好ましい。
【００４６】
また、本発明において、破損を生じさせないためには、ガラス板Ｇには、強化ガラスを用いることが好ましい。強化ガラスには、ガラス板をソーダライムシリケートガラスの軟化点以上、約７００度まで加熱した後、ガラス表面に空気を吹きつけ、均一に急激に冷やすことで、表面に圧縮応力層を形成する風冷強化法によるもの、ガラスに含まれるナトリウムイオンをカリウムイオンと置き換えたイオン交換法によるもの等が挙げられる。  
【００４７】
尚、本発明において、孔径とは貫通孔の最大径であり、貫通孔が円形の場合その直径をさす。本発明において、孔端部よりクラックを発生させないためには、ガラス板Ｇの貫通孔の形状は、ガラス板Ｇの一点に力を集中させない円形であることが好ましい。アルミニウム製またはアルミニウム合金製の平座金３は、市販の円形のものが好適に使用される。
【図面の簡単な説明】
【００４８】
【図１】パチスロ機の概略図である
【図２】本発明のパチスロ機スロット部の表示窓へのガラス板の取り付け構造における取り付け部の一例の拡大側面図である。
【図３】平座金を当接させた板ガラス貫通孔部の上面図である。
【符号の説明】
【００４９】
Ｇ      ガラス板
１      液晶部表示窓
２      スロット部表示窓
３      平座金
４      台座
５      ネジ部材
６      ナット（袋ナット）
７      ワッシャ
８    （ガラス板Ｇとネジ部材５の）隙間
９    （ガラス板Ｇの）端部
【図１】
2010207432.tif 000004
【図２】
2010207432.tif 000005
【図３】
2010207432.tif 000006